(57)【要約】      （修正有）【課題】一種のプラスチック製ヘアバンドを提供することであり、このヘアバンドは使用者の頭部の形に馴染み、着用感に優れ、更には環境保護の面においても廃却時、廃品回収が容易であるという効果と利益を期待できるものである。【解決手段】少なくともその一部に螺旋部を有するプラスチック製の主体部の両端を接合し、環状に閉じて成るヘアバンドである。この場合、主体部の端部は、螺旋部の自由端部を結合して環状とする。結合には、溶着若しくは接着を利用することができ、又、適宜の連結具を用いることも可能である。尚、本考案において、主体部に占める螺旋部の位置、接合部の位置は限定されるものでなく、任意に設計変更し得るものである。【選択図】図１
0003150187.tif 000002
【実用新案登録請求の範囲】
【請求項１】
プラスチック線材（１１０）から成り、少なくとも一部に螺旋部（１１、１３、１４、３１、３３、５１）を有する主体部（１０)の両端部を結合して成る、ヘアバンド（１、３、５）。
【請求項２】
主体部（１０）が、直線部（１２）と、それぞれその両端（１１６、１３６）において直線部（１２）に連なる螺旋部（１１及び１３）とから成り、螺旋部（１１及び１３）の端部（１１５、１３５）が、連結具（２）により結合されて成る、請求項１に記載のヘアバンド（１）。
【請求項３】
主体部（１０）が、直線部（１２）と、それぞれその両端（１１６、１３６）において直線部（１２）に連なる螺旋部（１１及び１３）とから成り、螺旋部（１１及び１３）の端部（１１５、１３５）が、互いに直接結合されて成る、請求項１に記載のヘアバンド（１）。
【請求項４】
主体部（１０）が、螺旋部（１１、１３及び１４、又は５１）とから成り、螺旋部（１１、１３及び１４、又は５１）の端部（１１５、１３５：５２、５３）が、連結具（２）により結合されて成る、請求項１に記載のヘアバンド（１）。
【請求項５】
プラスチック線材が、PVC、PV、EVA及びPPから成る群の中から選ばれた少なくとも一種のプラスチックから成る、請求項１乃至４の何れか一に記載のヘアバンド。
【請求項６】
プラスチック線材が、遠赤外線を放出する竹炭粉末を含む、請求項１乃至５の何れか一に記載のヘアバンド。
【考案の詳細な説明】
【技術分野】
【０００１】
本考案は、ヘアバンドに関し、特に、その全体若しくは主要部がプラスチック製のコイル、即ち螺旋部から成るヘアバンドに関する。
【背景技術】
【０００２】
一般によく知られているヘアバンドは金属製である。この髪留めは金属の弾力を利用して頭髪を纏め整えるものであるが、使用者の頭部の形はそれぞれ異なるため、頭部が金属製の髪留めに完全に合うということはあり得ず、そのため着用感も良好なものではない。
公知のヘアバンドは人体工学に基づくものではなく、長時間の着用は頭部に不快感を生じさせる可能性がある。そのうえ、金属回収は管理が難しく重金属汚染を引き起こしやすいため環境保護に適さない。なお、金属が空気中の水分と接触して酸化現象が生じた場合は外観が損なわれる。
【先行技術文献】
【特許文献】
【０００３】
【特許文献１】特開平８‐１９６３２８号公報
【考案の概要】
【考案が解決しようとする課題】
【０００４】
本考案の目的は一種のプラスチック製ヘアバンドを提供することにある。このヘアバンドは使用者の頭部の形に馴染み、着用感に優れ、更には環境保護の面においても廃却時、廃品回収が容易であると言う効果と利益を期待できるものである。
【課題を解決するための手段】
【０００５】
上記の課題は、少なくともその一部に螺旋部を有するプラスチック製の主体部の両端を接合し、環状に閉じて成る螺旋ヘアバンドにより達成される。
一実施例において、この螺旋ヘアバンドの主体部は、両端部が螺旋部、中央部が上記螺旋部に連なる直線部とされている。
この場合、主体部の端部は、螺旋部の自由端部を結合して環状とする。結合には、溶着若しくは接着を利用することができ、又、適宜の連結具を用いることも可能である。
尚、本考案において、主体部に占める螺旋部の位置、接合部の位置は限定されるものでなく、任意に設計変更し得るものである。
【０００６】
この変更実施例としては、一半が螺旋部、他の一半が直線部とされている主体部を用い、その自由端部を結合して、螺旋ヘアバンドを形成する。
更に別異の変更実施例においては、中央部が螺旋部、その両端が直線部とされている主体部を用い、その自由端部を結合して、螺旋ヘアバンドを形成する。
【０００７】
更に他の実施例において、全体が一連の螺旋から成る主体部が用いられる。
その主体部の端部は結合され、環状の螺旋ヘアバンドが構成される。
この場合も、結合には、溶着、接着、機械的結合などが随意に採用され、又は適宜の連結具を用いることもある。
連結具は、例えば両端に係止部を有し、係止部は、例えば、通孔、スリット、フック、ループ、ホックなどの形状とされ、これに掛け留められる主体部の端部は、その係止部に適合する形状に形成される。
【０００８】
上述の主体部を構成するプラスチック線材の断面形状は、円形、扁平、矩形、正方形等の任意の幾何学的形状とすることができ、又、所望の不規則な形状にすることができる。
主体部を構成するプラスチック線材は、そのままで用いても良いが、その外側を美麗な布類、軟質のフィルムなどで被覆して用いることも推奨される。
【０００９】
使用するプラスチック材としては、例えば、PVC、PV、EVA、PP等が推奨される。
好ましい実施例においては、ヘアバンドのプラスチックに遠赤外線を放出する竹炭粉末が添加される。
【考案の効果】
【００１０】
上述した具体的構成を採用することにより、本考案に係る螺旋ヘアバンドは柔軟でかつ伸縮性を有し、頭部の圧迫に起因する不快感を生み出すことがなく、様々なヘアスタイルを作り出すことが可能である。
使用者が着用した時、螺旋部が頭髪を押さえ、その螺旋の密集した状態を利用して際立つヘアスタイルを作り出すことが可能で、一部に直線部が設けられている場合には、その直線部が頭髪をしっかり束ね１つにまとめるのに役立つ。
【００１１】
本考案の他の特徴は、遠赤外線を放出する竹炭をヘアバンドに添加する点にあり、放出される遠赤外線の温熱作用が血行の促進、皮膚の毛細血管の拡張、新陳代謝の促進などの効果を生み出し、着用感を更に優れたものにする。
【図面の簡単な説明】
【００１２】
【図１】図１は、本考案に係るヘアバンドの一実施例を示す斜視図である。
【図２】図２は、図１に示したヘアバンドの構成を示す立体分解図である。
【図３】図３は、本考案に係るヘアバンドの他の一実施例を示す斜視図である。
【図４】図４は、本考案で用いられる螺旋部の構成を示す説明図である。
【図５】図５は、本考案で用いられる螺旋部の他の構成を示す説明図である。
【図６】図６は、本考案に係るヘアバンドの更に別異の一実施例を示す正面図である。
【図７】図７は、図６に示したヘアバンドの構成を示す立体分解図である
【図８】図８は、本考案に係るヘアバンドの更に別異の一実施例の製造法を示す説明図である。
【図９】図９は、本考案に係るヘアバンドの装着方法の一例を示す説明図である。
【考案を実施するための形態】
【実施例１】
【００１３】
図１及び２に示す実施例１において、ヘアバンド１の主体部１０は、１本のプラスチック線材１１０の中央部１２を残してその両側部分を密着コイル状に巻いて成る一対の螺旋部１１及び１３と、螺旋部１１及び１３の間でコイル状に巻かれずに残された直線部１２とから成る。
本実施例において、ヘアバンド１の主体部１０の端部１１５および１３５は、結合具２によって結合され、環状のヘアバンドが形成される。
ヘアバンド１は弾性のあるプラスチック材から成り、柔軟性及び伸縮性を持つ。
【００１４】
結合具２の両端には通孔２１があり、この通孔２１には螺旋部１１の端部１１５および螺旋部１３の端部１３５が挿入され、強固に結合される。
この結合には、接着剤等を利用したり、熱溶着したりして強固に結合することが推奨される。
かくして、２つの螺旋部１１、１３および直線部１２は一体となって閉じた環状体を形成する。
【００１５】
使用者がヘアバンド１を髪に着用した状態は図９に示されている。
２つの螺旋部１１及び１３は頭髪を押さえるとともに、その螺旋の密集した状態を利用して際立つヘアスタイルを作り出すことが可能であり、直線部１２は頭髪をしっかり束ね１つにまとめることに役立つ。
【００１６】
図３に示した実施例においては、ヘアバンド３は、いくつかの螺旋体で形成される２つの螺旋部３１及び３３と、螺旋部３１及び３３の端部３１６及び３３６の間の直線部３２から成る。
ヘアバンド３は曲げて環状にすることが可能である。
螺旋部３１の端部３１５と、螺旋部３３の端部３３５は、溶着又は接着される。
ヘアバンド３はプラスチック材で一体的に構成され、柔軟性及び伸縮性を有する。
【００１７】
本発明品のヘアバンドは、図４に示すように単純なプラスチック線材１１０で作成しても良いが、特に螺旋部は、図５に示されているように、プラスチック線材１１０を、柔らかな被覆材１２０で覆い、これを使用するようにすることが推奨される。
柔らかで美麗な被覆材１２０は、使用者の着用感を優れたものにし、頭髪および頭皮の保護、摩擦によるダメージ或いは不適切使用による抜け毛防止などに役立つ。
【００１８】
図６及び図７に示した実施例においては、前述した２つの螺旋部の端部間に延びた直線部は螺旋部に変えられている。
即ち、個々でヘアバンド４は、連続する螺旋部４１,４３及び４４から成り、両端部４１５及び４３５は結合具２の通孔２１に差し込まれ、全体が閉じて環状のヘアバンド４となっている。
【００１９】
図８に示した実施例においては、ヘアバンド５は全体が連続性のある螺旋部５１となっており、その端部５２および５３は接着剤等を利用した接合方式で結合されて一体となり、閉じた環状体を形成している。
【００２０】
ヘアバンド１の構成する線材の断面は、図４に示した円形のみでなく、任意の幾何学的形状或いは不規則な形状とすることができる。
主体部注に設ける螺旋部や直線部の位置や長さは限定されず、適宜に定めることができる。
ヘアバンドのプラスチックとしては、特に限定されないが、PVC、PV、EVA、或いはPPなどを用いることが推奨される。
又、使用するプラスチックには遠赤外線を放出する竹炭粉末などを添加することが推奨される。このようにすると、血行促進、皮膚の毛細血管の拡張および新陳代謝の促進などの遠赤外線の温熱作用により着用感が優れたものとなる。
【産業上の利用可能性】
【００２１】
本考案に係る螺旋ヘアバンドの内容について総括すると、伸縮性を持つため、頭部圧迫による不快感を生じさせず、着用時に様々なスタイルを作り出すことが可能であり、実用性において一般によく知られている金属製髪留めより優れていることは明らかであり、実施すれば多大の効果がある。
【符号の説明】
【００２２】
１        ヘアバンド
１０      主体部
１１０    プラスチック線材
１２０    被覆材
１２      螺旋部
１１５    端部
１１６    端部
１２      直線部  
１３      螺旋部
１３５    端部
１３６    端部
１４      螺旋部
２        結合具
２１      通孔
３        ヘアバンド
３１      螺旋部
３１５    端部
３１６    端部
３２      直線部
３３      螺旋部
３３５    端部
３３６    端部
４１      螺旋部
４１５    端部
４３      螺旋部
４３５    端部
４４      螺旋部
５        ヘアバンド          
５１      螺旋部
５２      端部
５３      端部          
【図１】
0003150187.tif 000003
【図２】
0003150187.tif 000004
【図３】
0003150187.tif 000005
【図４】
0003150187.tif 000006
【図５】
0003150187.tif 000007
【図６】
0003150187.tif 000008
【図７】
0003150187.tif 000009
【図８】
0003150187.tif 000010
【図９】
0003150187.tif 000011